(57)【要約】      （修正有）【課題】既販冶具による広幅透明テープの切断時は、張力等で端末が斜裂断と巻戻り現象等あり再使用時には端末の確認と確保が難しく、時間と労力及び資源の無駄も多く又、既販冶具は単一製品専用で互換性に欠けることを解消する。【解決手段】駆動輪５の凹形溝に押板６のＩ形突起部を嵌合し、梱包物とテープ本体の張力を遮断した後、梱包物と押板６間の張力下で、駆動輪５の凹形溝に沿って内挿式円形刃９をスライドさせて切断し、端末の確保と共にテープの斜裂断と巻き戻りを防止する。次いで、基枠１に広幅テープの巻芯の内縁軌跡に沿って、内縁相当の円筒を２分割した大径保持枠２と小径保持枠３を相対して配置し、ガイドピン４との組合せで異徑巾の併用を可能とする多能式テープカッターを提供する。【選択図】図１
2013001568.tif 000002
【特許請求の範囲】
【請求項１】
、基枠１に凹形溝付駆動輪５とＩ形突起付の押板６及び内装式円形刃９とで構成し、テープ切断時の張力による斜裂断と巻戻りを防止する機能を特徴とするテープカッター。
【請求項２】
、請求項１に付帯し、基枠１に大径テープ巻芯の内縁軌跡に沿って大径テープの巻芯相当の保持枠を半分した大径保持枠２と小径保持枠３及びガイドピン４を組合せて、異徑巾テープの併用を特徴とするテープカッター。
【請求項３】
、請求項１及び２に付帯し基枠１と押板６を連結する蝶番７でテープ装着の簡略化と前部傾動でテープの押圧接着と後部傾動でテープと梱包物間の張力切断及び端末キープを特徴とするテープカッター。
【発明の詳細な説明】
【技術分野】
【０００１】、、本発明は事業場又は一般家庭での梱包作業時の省力と省資源に資する
【技術背景】
【０００２】
【特許文献】  特開  ２００４−３０７２１８
【特許文献】  特開  ２００９−２１２４０９
【発明が解決しようとする課題】
、、広幅透明テープの使用に際し、冬季では切断時の張力及び収縮作用で斜裂断しテープ枠に巻戻る欠点があり、この為に再使用時には切断端末の確認と引出しに多くの時間と労力を要しテープの無駄も大きい。既販冶具はこの重大欠点と共に、単一製品専用である。
【課題を解決する手段】
【０００４】、広幅透明テープの使用方法と既販冶具の機能を解明し、梱包作業時におけるテープ端末処理等の欠点解消と、同系製品にも使用可能な冶具を開発し多機能化を計った。
【発明の効果】
【０００５】、本発明は、広巾透明テープの欠点である端末の斜裂断と巻戻り現象の改良で、既販テープの厚さ、接着剤の改良等で省資源、省力と共に異径巾にも使用可能な多機能冶具を開発した。、家庭及び商工業全般での梱包作業等で効率的な冶具の提供ができる。
【部品の構成】
【０００６】、、図１により本考案の構成と機能について説明する。
、基枠１には、大径テープの紙管の内径相当で、約半分径の大径保持枠２と小径保持枠３とで大径テープの紙管軌跡内に相対して固定又は成型する。４のガイドピンとで、径と巾が複数の異形テープの使用が出来る。
、駆動輪５は複数の凹形駆動沓を有し、６は片面にＩ形突起を設けたＬ形押板を蝶番７で基枠１側と連結され、テープの装着の簡略化を計る為に基枠１側に開放できる。
、１点支持の蝶番７の軸芯で、押板６の前傾状態の前端でテープ貼付時の引手に、後傾でＩ形突起が駆動輪５の駆動沓に嵌合しテープを圧接する。
８の把手付連結環で９の内挿式円形刃を後方に展開し、スライドさせて梱包物にテープの貼付、張力開放及びテープ切断と端末確保が出来る。、１０は補助輪ある、
【実施例】
【０００７】、梱包作業は。押板６を蝶番７で基枠１側に開放し、使用するテープの端末を延長しサイズによって保持枠２，３を選択挿入しガイドピン４でセットする。
、テープ端末を駆動輪５に沿って梱包物の側面に貼付け、押板６を戻し水平に維持し乍ら梱包物の梱包面に駆動輪５を押圧しながら梱包物の手前端部に引寄せる。
、次いで押板６の後部のＩ形突起を駆動輪５の凹部に押圧し、テープ本体と梱包物間の張力等が遮断される。
、更に把手付連結環８で円形刃９を展開回動する。この際テープは、梱包物と押板６間では無張力状態で、駆動輪５の凹形溝に沿って円形刃がスライドし円滑に切断でき、円形刃９は内装方式で使用者の安全が確保される。
、切断後は本体（テープカッター）を取除けば、テープ端末が残るから梱包物に貼付し梱包作業は終了する。
、本体側の端末は押板６のＩ形突起で確保されており、再作業が容易になる。
、上述した機能の為に広幅透明テープの斜裂断が防止され簡単、快適な梱包作業が出来、且、単一冶具で複数製品が使用できる。
【符号の説明】
【０００８】１、基枠                        ２、大径保持枠
３、小径保持枠                  ４、ガイドピン
５、駆動輪                      ６、押板
７、蝶番                        ８、把手付連結環
９、円形刃                      １０、補助輪
【図１】
2013001568.tif 000003
【手続補正書】
【提出日】平成23年8月15日(2011.8.15)
【手続補正２】
【補正対象書類名】明細書
【補正対象項目名】全文
【補正方法】変更
【補正の内容】
【発明の詳細な説明】
【技術分野】
【０００１】本発明は事業場又は一般家庭での梱包作業時の省力と省資源に資する。
【技術背景】
【０００２】
【特許文献】  特開２００４−３０７２１８
【特許文献】  特開２００９−２１２４０９
【発明が解決しようとする課題】
【０００３】広幅透明テープの使用に際し、冬季では切断時の張力及び収縮作用で斜裂断しテープ枠に巻戻る欠点があり、この為に再使用時には切断端末の確認と引出しに多くの時間と労力を要しテープの無駄も大きい。規販時具はこの重大欠点と共に、単一製品専用である。
【課題を解決する手段】
【０００４】広幅透明テープの使用方法と既販時具の機能を解明し、梱包作業時におけるテープ端末処理等の欠点解消と、同系製品にも使用可能な冶具を開発し多機能化を計った。
【発明の効果】
【０００５】本発明は、広幅透明テープの欠点である端末の斜裂断と巻戻り現象の改良で、既販テープの厚さ、接着剤の改良等で省資源，、省力と共に異徑巾にも使用可能な多機能冶具を開発した。家庭及び商工業全般での梱包作業等で効率的な冶具の提供ができる。
【図面の簡単な説明】
【０００６】
【図１】第１図は本発明の概要を示す側面図。
【部品の構成】
【０００７】図１により本考案の構成と機能について説明する。
基枠１には、大径テープの紙管のな内徑相当で、約半分径の大径保持枠２と小径保持枠３とで大径テープの紙管軌跡内に相対して固定又は成型する。４のガイドピンとで径と巾が複数の異系テープの使用ができる。
駆動輪５は複数の凹形駆動沓を有し、６は片面にｉ形突起を設けたＬ形押板蝶番７で基枠１側と連結され、テープの装着の簡略化を計る為に基枠１側に開放できる。
１点支持の蝶番７の軸芯で、押板６の前傾状態の前端でテープ貼付時の引手に、後傾でＩ形突起が駆動輪５の駆動沓に嵌合しテープを圧接する。
８の把手付連結環で９の内挿式円形刃を後方に展開し，スライドさせて梱包物にテープの貼付、張力の開放及びテープの切断と端末確保ができる。１０は補助輪である。
【実施例】
【０００８】梱包作業は、押板６を蝶番７で基枠１側に開放し、使用するテープの端末を延長しサイズによって保持枠２，３を選択挿入しガイドピン４でセットする。
テープ端末を駆動輪５に沿って梱包物の側面に貼付け、押板６を戻し水平に維持し乍ら梱包物の梱包面に駆動輪５を押圧しながら梱包物の手前端部に引寄せる。
次いで、押板６の後部のＩ形突起を駆動輪５の凹部に押圧し、テープ本体と梱包物間の張力が遮断される。
更に把手付連結環８で円形刃９を展開回動する。この際テープは梱包物と押板６間では無張力状態で、駆動輪５の凹形溝に沿って円形刃がスライドし円滑に切断でき、円形刃９は内装方式で使用者の安全が確保される。
切断後は本体（テープカッタ）を取除けば，テープ端末が残るから梱包物に貼付し梱包作業は終了する。
本体側の端末は押板６のＩ形突起で確保されており，再作業が容易になる。
上述した機能の為に透明広幅透明テープの斜裂断が防止され簡単，快適な梱包作業が出来，且、単一冶具で複数製品が使用できる。
【符号の説明】
【０００９】１、基枠                ２、大径保持枠
３、小径保持枠          ４、ガイドピン
５、駆動輪              ６、押板
７、蝶番                ８、把手付連結環
９、円形刃              １０、補助輪